(57)【要約】【課題】映像撮影の現場では伝統的に「キューシート」というタイムコードと映像内容の対照表が用いられてきたが、映像記録がテープからノンリニアな記録媒体に移行してきた現在でもキューシートに適したメタ情報入力手段がないために、未だにペーパーでキューシートを作成して記録媒体と一緒に持ち歩いているのが現状であるため、簡易なキューシート電子化手段を提供して撮影現場のワークフローとデジタルメディアの融合を図る。【解決手段】タッチパネル１０１に開始タイムコード指定手段１０５と映像内容入力手段１０３を表示し、それらを通じてユーザがキューシートの内容を入力すると、ＴＣ−クリップ変換手段１０９が記録媒体１１５中の映像ファイルから指定されたタイムコードに該当する映像ファイルを検索する。メタ情報記録手段１０７は、取得された映像ファイルに対してメタ情報としてキューシートの内容を付与する。【選択図】図１
2010141460.tif 000002
【特許請求の範囲】
【請求項１】
映像データを含む映像ファイルが記録された記録媒体に前記映像データに関するメタ情報を記録するメタ情報付与装置であって、
前記映像データに関するメタ情報の入力をユーザから受け付ける映像内容入力手段と、
前記映像内容入力手段で入力した前記メタ情報を関連付ける前記映像データ上の位置情報の入力をユーザから受け付ける位置情報入力手段と、
前記位置情報入力手段で指定された前記位置情報を元に該当する映像ファイルを前記記録媒体内から検索するファイル検索手段と、
前記記録媒体に対して読み書きを行う記録媒体アクセス手段と、
前記メタ情報を、検索された前記映像ファイルに含まれる前記映像データにおける前記位置情報が示す位置に関連付けたメタ情報ファイルとして前記記録媒体内に記録するメタ情報記録手段と、
を備えることを特徴とするメタ情報付与装置。
【請求項２】
前記位置情報入力手段は、前記メタ情報を関連付ける前記映像データの開始点および終了点を入力可能である、請求項１記載のメタ情報付与装置。
【請求項３】
前記位置情報入力手段は、前記メタ情報を関連付ける前記映像データの開始点および時間長を入力可能である、請求項１記載のメタ情報付与装置。
【請求項４】
前記記録媒体が前記記録媒体アクセス手段に読み書き可能な状態で接続されているか否かを検出する記録媒体接続検出手段を備えた請求項１記載のメタ情報付与装置。
【請求項５】
前記記録媒体接続検出手段は、前記記録媒体アクセス手段と前記記録媒体との物理的な接続の有無を用いて前記記録媒体の有無を検知する請求項４記載のメタ情報付与装置。
【請求項６】
前記記録媒体は、前記メタ情報付与装置と物理的に隔離された無線通信装置に接続され、
前記記録媒体接続検出手段は、前記記録媒体アクセス手段と前記無線通信装置との間の無線接続が確立されているか否かを用いて前記記録媒体の有無を検知する請求項４記載のメタ情報付与装置。
【発明の詳細な説明】
【技術分野】
【０００１】
本発明は、カメラレコーダ等で映像を記録した記録媒体に付加情報を記録する装置に関し、特に撮影時に作成したキューシートを映像に付与するメタ情報付与装置に関する。
【背景技術】
【０００２】
従来より、映像を撮影するプロフェッショナルな現場では、フィルムやビデオテープに記録した内容とそのテープ上での位置をメモするために、キューシートと呼ばれるペーパーが用いられてきた。
【０００３】
図５は、実際に撮影現場で用いられるキューシートを含むビデオテープ記録表の例を示した図である。ビデオテープ記録表は、撮影全体に関連する情報である「題名」や「制作プロダクション」、ＶＴＲ機種や記録フォーマットのメモ欄、およびテープ上での位置と記録内容との対照表であるキューシートから構成されている。図５の例では、このテープにはタイムコード００：５９：４５：００から００：５９：５７：００までの１２秒間にわたって「クレジット」が撮影されていることが示されている。撮影者や撮影助手は撮影時に、記録開始と記録終了のタイムコードをチェックして、記録内容と共にキューシートに記入する。ここでいうタイムコードとは、例えばＳＭＰＴＥ−１２Ｍで定められた、時：分：秒：フレーム（ｈｏｕｒ：ｍｉｎｕｔｅ：ｓｅｃｏｎｄ：ｆｒａｍｅ）のフォーマットを持つ時間情報のことである。
【０００４】
このように記録内容とタイムコードとをキューシートにメモすることで、後の編集作業で必要な映像を探しやすくすることが、ビデオテープ記録表を作成する目的である。
【０００５】
一方、近年は映像の編集にコンピュータを用いてノンリニア編集を行うことが一般的になったこともあり、撮影段階から、テープにリニアに映像を記録するのではなく、半導体メモリを代表とするＩＴ親和性の高い記録媒体にファイルとして映像を記録するカメラレコーダを使用することが、プロフェッショナルな現場でも一般的になってきた（例えば、特許文献１参照。）。このようなファイルベースの映像記録の場合、撮影した映像に関連する付加情報を映像ファイルと同じ記録媒体に記録できる機能をもったものも少なくない。
【０００６】
付加情報記録として、現在撮影現場で実際に使用されている代表的な機器の動作例について説明する。図９は、従来のカメラレコーダの構成を示す図である。カメラレコーダ８００は、液晶画面８０１と半導体メモリ挿入部８０２とテキストメモ付与ボタン８０３とを備えている。録画開始・終了ボタン８０４または録画開始・終了ボタン８０５が押し下げられたタイミングで、撮影された映像は半導体メモリ挿入部８０２に挿入された半導体メモリに対して記録が行われる。カメラレコーダ８００を用いて撮影を行う撮影者は、撮影と同時にテキストメモ付与ボタン８０３を押すことで、その時点で撮影していた映像ファイルとそのオフセットに対して空のテキストメモを付与することができる。
【０００７】
図１０は、従来のカメラレコーダにおいて、半導体メモリに構築されたファイルシステム上での記録されたファイルの構成例を示す図である。この半導体メモリには、ファイルシステムの最上層（ルートディレクトリ）に“ＣＯＮＴＥＮＴＳ”というディレクトリが存在し、その下には“ＶＩＤＥＯ”および“ＣＬＩＰ”という２つのディレクトリが存在している。“ＶＩＤＥＯ”ディレクトリには、ビデオカメラ８００で撮影した映像ファイル９００が記録される。映像ファイル９００のファイル名は、記録順に０００１からの連番が付与される。また、このファイルの記録形式がＭＸＦ形式であることを示す拡張子ＭＸＦが付与されるため、そのファイル名は０００１．ＭＸＦとなる。この映像ファイル９００の記録中に付与された空のテキストメモは、半導体メモリ内に図１０のように付与される。テキストメモ付与ボタンが押し下げられたときに記録していた映像ファイル９００（０００１．ＭＸＦ）とファイル名が同じで拡張子のみが異なるテキストメモファイル９０１（０００１．ＸＭＬ）が、“ＣＬＩＰ”ディレクトリの下に作成される。この例では、テキストメモファイル９０１はＸＭＬ形式で記録されている。テキストメモファイル９０１の内部には、テキストメモ付与ボタンが押し下げられた時点のオフセット時間（この例では、映像ファイル９００の先頭からのフレーム単位のオフセットとして、“５７３４”）が記述される。
【０００８】
また、テキストメモ付与は映像ファイルの再生と並行して行うこともできる。再生開始・終了ボタン８０４または８０５を押し下げるタイミングで、半導体メモリに記録された映像を液晶画面８０１で視聴することができるが、再生状態でテキストメモ付与ボタン８０３を押し下げると、押し下げられた時点で再生されていた映像ファイルのそのオフセット時間に対して空のテキストメモを付与することが出来る。付与される方法は上記記録中の場合と同じである。
【０００９】
撮影者は、映像ファイル９００およびテキストメモファイル９０１が記録された半導体メモリをパソコン等に接続し、上記手順によって付与されたオフセット時間のみが記録された空のテキストメモファイル９０１を開き、撮影内容を追記することで、映像ファイルの或るオフセット時間に対して、その撮影内容を記録したテキストメモを付与することが出来る。
【００１０】
このように従来のカメラレコーダは、映像ファイルの記録・再生時には映像ファイル中の指定位置だけを登録しておき、後からその位置に関する付加情報を入力することにより、付加情報を映像ファイルの指定位置に関連付ける処理を実現していた。
【特許文献１】特開平７−６７０６６号公報
【発明の開示】
【発明が解決しようとする課題】
【００１１】
半導体メモリを代表とするノンリニアな記録媒体を用いて映像を撮影する場合は、撮影と同時に作成したキューシートを、映像が記録されたのと同じ記録媒体に電子データ（電子キューシート）として取り込むことが出来れば、非常にユーザの利便性が高まる。つまり、映像とキューシートとをまとめて管理するのが容易になる上、編集のためにコンピュータに記録媒体を接続した際、電子キューシートとノンリニア編集ソフトとを連携させることで必要な映像の自動抽出等も行えるようになる。
【００１２】
しかしながら、従来のノンリニア媒体記録のカメラレコーダでは、上記の通り撮影した映像ファイルの記録中や再生中に、前記映像ファイルの或る時間ポイントに対して空のテキストメモ等のようなチェックマークを入れることだけを想定したものとなっており、撮影時に並行して記録内容を入力するような使い方には適していない。これは、撮影者は映像撮影にのみ集中し、撮影助手がカメラに表示されるタイムコードを元にビデオテープ記録表を作成して「タイムコードの範囲と記録内容」を記録し、媒体中のコンテンツ管理を行うという、映像現場で慣れ親しまれた運用形態にはそぐわない。
【００１３】
つまり、従来のカメラレコーダには現在の運用形態に合致した付加情報付与の手段がないため、ノンリニア記録媒体とペーパーのキューシートとをセットにして撮影現場から編集現場まで持ち運ぶ運用形態がとられているのが現状である。
【００１４】
本発明は、上述のような課題に鑑みてなされたものであって、フラッシュメモリを代表とする記録媒体に映像記録を行う場合において、撮影と同時に作成されたキューシートを、映像を記録したものと同じ記録媒体を使って容易に管理する手段を提供することを目的とする。
【課題を解決するための手段】
【００１５】
上記課題を解決するために本発明のメタ情報付与装置は、映像データを含む映像ファイルが記録された記録媒体に映像データに関するメタ情報を記録するメタ情報付与装置であって、映像データに関するメタ情報の入力をユーザから受け付ける映像内容入力手段と、映像内容入力手段で入力したメタ情報を関連付ける映像データ上の位置情報の入力をユーザから受け付ける位置情報入力手段と、位置情報入力手段で指定された位置情報を元に該当する映像ファイルを記録媒体内から検索するファイル検索手段と、記録媒体に対して読み書きを行う記録媒体アクセス手段と、メタ情報を、検索された映像ファイルに含まれる映像データにおける位置情報が示す位置に関連付けたメタ情報ファイルとして記録媒体内に記録するメタ情報記録手段とを備えた。
【発明の効果】
【００１６】
本発明のメタ情報付与装置は上記構成を有し、記録媒体に記録された映像ファイルに対し、その撮影と同時に作成したキューシートを、映像ファイルと同じ記録媒体に電子的に記録することが可能となるため、両者を関連付けた管理が容易になる。また、ＩＴ親和性の高い形で両者が関連付けられていることにより、キューシートを利用して編集段階での手順の自動化等が望めるために、ユーザの利便性が向上する。
【発明を実施するための最良の形態】
【００１７】
図１は本発明の実施の形態におけるメタ情報付与装置の構成を示したブロック図である。
【００１８】
メタ情報付与装置１００は、タッチパネル１０１を備える。また、タイムコードと映像ファイルの対応関係を検索するＴＣ−クリップ変換手段１０９を備えたメタ情報記録手段１０７とキューシート読出手段１０８を備え、メタ情報記録手段１０７とキューシート読出手段１０８のどちらを動作させるかは、ユーザがモード切替スイッチ１１２を通じて切り替えることが出来る。さらにメタ情報付与装置１００は、記録媒体１１５のデータを読み書きするための記録媒体アクセス手段１１１を備え、記録媒体アクセス手段１１１は、媒体接続検出手段１１３を備える。記録媒体アクセス手段１１１を通じて、クリップアクセス手段１１０は、記録媒体１１５内の映像ファイル１１６およびメタ情報ファイル１１７にアクセスする。
【００１９】
本実施の形態では、次のような運用を想定している。すなわち、撮影者がカメラレコーダを操作して被写体を撮影し、記録媒体１１５に映像ファイル１１６およびメタ情報ファイル１１７を記録する。これと並行して、撮影助手がメタ情報付与装置１００を操作して、撮影中の映像に対する電子キューシートを作成する。作成された電子キューシートは、リアルタイムに、もしくは撮影終了後に記録媒体１１５に記録されたメタ情報ファイル１１７に付与される。
【００２０】
以下、ユーザがモード切替スイッチ１１２を用いてメタ情報記録手段１０７を動作させ、装置の動作モードを「キューシート書き込みモード」にした場合の動作について説明する。
【００２１】
タッチパネル１０１には、位置情報入力手段としての開始タイムコード入力部１０５および終了タイムコード入力部１０６と、記録内容入力部１０３と、データ反映指示部１０４とが表示される。ユーザは、スタイラス１０２を用いて、従来であれば紙のキューシートに記述していた情報を、タッチパネル１０１上の各入力部を通じて記述する。例えば、タイムコード「００：５９：４５：００」から「００：５９：５７：００」までの間に「クレジット」を撮影したのであれば、開始タイムコード入力部１０５にキュー開始タイムコードとして「００：５９：４５：００」、終了タイムコード入力部１０６にキュー終了タイムコードとして「００：５９：５７：００」を入力し、記録内容入力部１０３にキュー内容記述として「クレジット」と記述する。なお、これらのタイムコードは、撮影中のカメラレコーダの表示部等を目視することにより得ることが出来る。また、キュー開始タイムコードおよびキュー終了タイムコードは、メタ情報であるキュー内容記述を映像ファイル上のどの位置に関連付けるかを示す位置情報であり、開始位置および終了位置を指定することによりある区間を指すようにしてもよいし、ひとつのタイムコード（位置情報）のみを指定してその位置にメタ情報を関連付けるようにしてもよい。また、メタ情報であるキュー内容記述をテキストメモ（テキストデータ）としたが、これに限らずタッチパネル１０１から入力する手書きメモのような画像データでもよい。記述が終了したら、ユーザはスタイラス１０２でデータ反映指示部１０４を押し、電子キューシートの内容を確定する。複数の項目を入力したい場合は、以上の操作を繰り返す。
【００２２】
上記手順により電子キューシートに必要な情報が入力され、データ反映指示部１０４を通じてデータの反映が指示されると、各入力部１０５、１０６および１０３から、電子キューシートを構成する「キュー開始タイムコード」、「キュー終了タイムコード」および「キュー内容記述」の３つのデータがメタ情報記録手段１０７へと渡される。メタ情報記録手段１０７は、受け取った３つのデータをバッファメモリ１１４に一旦保存する。さらにメタ情報記録手段１０７は、クリップアクセス手段１１０を通じて記録媒体アクセス手段１１１の備える媒体接続検出手段１１３の状態を取得し、記録媒体１１５がメタ情報付与装置１００に接続されていることが確認できなければ、ここで処理を終了する。このとき処理を終了する代わりに、ユーザに記録媒体１１５のメタ情報付与装置１００への接続を促す表示をタッチパネル１０１に行う等してから待機状態に移行し、記録媒体１１５がメタ情報付与装置１００へ接続されるのを待機するようにしてもよい。
【００２３】
図２および図３は、メタ情報付与装置１００に対する記録媒体１１５の接続形態の例を示す図である。ここにいう媒体接続検出手段１１３とは、例えばメタ情報付与装置１００が図２のように、記録媒体１１５を直接差し込む形になっていた場合は、記録媒体１１５と記録媒体接続部２０１の物理的な接触を検知する機構のことを示す。この装置構成の場合は、ユーザは撮影終了後に、カメラレコーダから取り外した記録媒体１１５をメタ情報付与装置１００に接続することで、入力済みの電子キューシートを記録媒体１１５中のメタ情報ファイル１１７に反映する。また、図３のように、記録媒体１１５が無線通信部３０３を備えたカメラレコーダ３０２に装着、または内蔵されており、メタ情報付与装置１００は記録媒体１１５に無線通信部３０１を通じてアクセス可能であるような場合は、両無線通信部３０１、３０３の接続状態を監視するハードウェア・ソフトウェアのことを示す。この機器構成の場合は、ユーザは記録終了時に記録媒体１１５とメタ情報付与装置１００間で物理的な接続を行う必要はない。
【００２４】
一方、メタ情報記録手段１０７がデータ受け取り時に記録媒体１１５の接続を確認できた場合、もしくは新たに記録媒体１１５がメタ情報付与装置１００に接続されたことが媒体接続検出手段１１３によって検出された場合、メタ情報記録手段１０７は下記の動作を行う。すなわちメタ情報記録手段１０７は、バッファメモリ１１４に記憶している各電子キューシート中の位置情報に基づいて、この電子キューシートの内容をメタ情報として付与すべき映像ファイルを記録媒体１１５から検索し、対応するメタ情報ファイルに記録する。以下、その動作について詳細に説明する。
【００２５】
まず、バッファメモリ１１４に記録された電子キューシート、すなわち「キュー開始タイムコード」、「キュー終了タイムコード」および「キュー内容記述」の３つのデータのセットをひとつずつ取り出す。そして、その中の「キュー開始タイムコード」を、ＴＣ−クリップ変換手段１０９に渡す。ＴＣ−クリップ変換手段１０９は、クリップアクセス手段１１０を通じて記録媒体１１５内のメタ情報ファイル１１７を走査して、キュー開始タイムコードとして与えられたタイムコードが、どの映像ファイルの頭から何フレーム目に当たるのか（以下「キュー開始オフセット」と呼ぶ）を検索・計算する。
【００２６】
タイムコードと映像ファイルの対応検索手順の具体例を以下に説明する。
【００２７】
図４は、記録媒体１１５に構築されたファイルシステム上での映像ファイル１１６とメタ情報ファイル１１７の構成を示す図である。記録媒体１１５上の各ディレクトリや各ファイルの配置や命名については図１０と同様である。ファイルシステムの最上層（ルートディレクトリ）には“ＣＯＮＴＥＮＴＳ”というディレクトリが存在し、その下には映像ファイル本体を格納する“ＶＩＤＥＯ”ディレクトリと、メタ情報を格納する“ＣＬＩＰ”ディレクトリとが存在している。“ＶＩＤＥＯ”ディレクトリには、カメラレコーダで記録が行われるたびに、０００１からの連番をファイル名とした映像ファイルが作成される。例えばカメラレコーダにおいて、録画ボタンを押し下げて映像の記録を開始し、その後停止ボタンを押し下げて映像の記録を停止する一連の録画動作毎に、ひとつずつ映像ファイルが作成される。また本例では、映像ファイルのフォーマットにＭＸＦフォーマット（Ｍａｔｅｒｉａｌ  ｅＸｃｈａｎｇｅ  Ｆｏｒｍａｔ：ＳＭＰＴＥ  ３７７Ｍ−２００４）を採用しているため、ファイルの拡張子が「ＭＸＦ」となっている。
【００２８】
映像ファイルが新たに作成されるたび、カメラレコーダによって、これらの各映像ファイルに１対１で対応したメタ情報ファイルが“ＣＬＩＰ”ディレクトリの下に作成される。映像とメタ情報との対応関係は、メタ情報ファイルの名称を映像ファイルの名称と同一にし、拡張子のみを「ＸＭＬ」に変えることで、人間にもコンピュータにも容易に判断できるようにしている。すなわち、映像ファイル０００１．ＭＸＦと同時に、これと関連付けられたメタ情報ファイル０００１．ＸＭＬが記録される。
【００２９】
図６は、メタ情報ファイルの内容例を示す図である。本例では、メタ情報を記述するのにＸＭＬ形式（ｅＸｔｅｎｓｉｂｌｅ  Ｍａｒｋｕｐ  Ｌａｎｇｕａｇｅ［ＪＩＳ  Ｘ  ４１５９：２００２］）を用いている。ここでは、＜ＣｌｉｐＮａｍｅ＞タグで映像ファイルのファイル名を示した上で、それと並ぶ＜Ｄｕｒａｔｉｏｎ＞タグで映像ファイルの長さを記述し、＜ＥｓｓｅｎｃｅＬｉｓｔ＞タグで映像ファイルのパラメータを列挙している。Ｄｕｒａｔｉｏｎで記述する映像の長さの単位としては、本例ではフレーム単位を用いている。また、＜ＥｓｓｅｎｃｅＬｉｓｔ＞タグの中では、＜Ｃｏｄｅｃ＞タグを用いて映像のフレームレートを記述し、＜ＳｔａｒｔＴｉｍｅｃｏｄｅ＞タグを用いて前記映像ファイルの先頭タイムコードを記述している。本例では、映像ファイル０００１．ＭＸＦの映像長は１０６４フレーム、フレーム周波数は５９．９４フレーム毎秒で、開始タイムコードは０５：３３：３３：１２であることがわかる。
【００３０】
ＴＣ−クリップ変換手段１０９は、クリップアクセス手段１１０を通じて記録媒体１１５内の“ＣＬＩＰ”ディレクトリの中にあるＸＭＬファイルを連番順に開き、それぞれと関連付けられた映像ファイルの「映像開始タイムコード」、「フレーム周波数」および「映像長」を取得する。本例ではこれらはそれぞれ０５：３３：３３：１２、５９．９４ｐおよび１０６４である。これらの情報から、映像ファイルの「映像開始タイムコード」と「映像終了タイムコード」がわかるので、両者の範囲内に「キュー開始タイムコード」が含まれるＸＭＬファイルを探せば、目的の映像ファイルのメタ情報がみつかったことになる。なお、図６の例での「映像終了タイムコード」は０５：３３：５１：１２と計算できる。さらに、みつかった情報に関し、（「キュー開始タイムコード」−「映像開始タイムコード」）をフレーム数に換算する演算を行うことにより、フレーム単位の「キュー開始オフセット」を取得することが可能である。
【００３１】
以上の手順をもってタイムコードと映像ファイルの対応を得ることができる。同様の手順を用いて、「キュー終了タイムコード」が含まれる映像ファイルも取得できる。
【００３２】
続いて、メタ情報記録手段１０７は「キュー内容記述」を、前記手順をもって取得したメタ情報ファイルに反映する。メタ情報ファイルに「キュー内容記述」を埋め込む方法について以下に詳述する。
【００３３】
まず、「キュー開始タイムコード」と「キュー終了タイムコード」が同一の映像ファイルに含まれる場合について述べる。例として、図６で示したメタ情報ファイルに、キュー開始タイムコード＝０５：３３：３７：００、キュー終了タイムコード＝０５：３３：４２：００、キュー内容記述＝“シーン１”を埋め込む場合を説明する。
【００３４】
まず、メタ情報記録手段１０７は、（「キュー開始タイムコード」−「映像開始タイムコード」）を計算することで、キュー開始位置が映像ファイル内で何枚目のフレームにあたるのかを得る。本例の場合、映像ファイル先頭からのフレーム単位オフセットは２２８フレームとなる。
【００３５】
次に、（「キュー終了タイムコード」−「キュー開始タイムコード」）を計算し、キュー内容記述を関連付けるべき区間の映像長をフレーム単位で得る。本例では、関連付け対象映像長は３００フレームとなる。
【００３６】
本例では、図７に示すように、ＸＭＬ文書であるメタ情報ファイルに＜ＭｅｍｏＬｉｓｔ＞タグと＜Ｍｅｍｏ＞タグを用いてキュー内容記述を挿入する。＜ＭｅｍｏＬｉｓｔ＞タグは、それ以下に単独もしくは複数の＜Ｍｅｍｏ＞タグを含む。＜Ｍｅｍｏ＞タグは、前述の手順で得られたフレーム単位オフセットを格納する＜Ｏｆｆｓｅｔ＞タグおよび関連付け対象映像長を格納する＜Ｄｕｒａｔｉｏｎ＞タグ、さらにキュー内容記述を格納する＜Ｔｅｘｔ＞タグを含む。本例では挿入すべきキュー内容記述はひとつだけであるので、＜ｍｅｍｏ＞タグをひとつだけ挿入する。また、＜Ｏｆｆｓｅｔ＞として２２８、＜Ｄｕｒａｔｉｏｎ＞として３００、Ｔｅｘｔとして“シーン１”を挿入する。
【００３７】
メタ情報記録手段１０７は、メタ情報ファイルを図７のように書き換えることにより、ユーザによって入力された電子キューシートの内容を記録媒体１１５に電子的に反映することが出来る。
【００３８】
続いて、書き込むべき情報の「キュー開始タイムコード」と「キュー終了タイムコード」とが異なる複数の映像ファイルにまたがった場合を説明する。例えばこれらが２つの映像ファイルにまたがった場合、メタ情報記録手段１０７は、書き込むべき情報を「キュー開始タイムコード」から「１つ目の映像ファイルの終了タイムコード」と「２つ目の映像ファイルの開始タイムコード」から「キュー終了タイムコード」の２つに分割する。「キュー内容記述」の内容は２つとも同一である。
【００３９】
そして、上記の「キュー開始タイムコード」と「キュー終了タイムコード」が同一の映像ファイルに含まれる場合と同じ手順を用いて、前者の情報を１つ目の映像ファイルのメタ情報に、後者の情報を２つ目の映像ファイルのメタ情報に付与すればよい。
【００４０】
以上の構成により、ユーザがタッチパネル１０１を通じて書き込んだ電子キューシートを電子的に記録媒体１１５内に記録できる。
【００４１】
最後に、本例で示した電子キューシートを利用する機器の例として、メタ情報付与装置１００で、ユーザがモード切替スイッチ１１２を用いてキューシート読出手段１０８を動作させ、装置の動作モードを「キューシート表示モード」にした場合の動作について説明する。記録媒体１１５上のファイル構成や、メタ情報の記述方法はこれまでに述べた例と同じものとする。
【００４２】
本モードに設定された場合、キューシート読出手段１０８は、クリップアクセス手段１１０を通じて、記録媒体１１５内の“ＣＬＩＰ”ディレクトリにあるすべてのＸＭＬファイルの内容を読み出す。そしてそれぞれのＸＭＬ文書から、＜ＭｅｍｏＬｉｓｔ＞タグに列挙された＜Ｍｅｍｏ＞タグの内容を抽出する。このとき、各ＸＭＬファイル中の＜ＳｔａｒｔＴｉｍｅｃｏｄｅ＞タグに記述された映像開始タイムコードに各＜Ｍｅｍｏ＞タグに含まれる＜Ｏｆｆｓｅｔ＞タグを加算することにより「キュー開始タイムコード」を計算しておく。
【００４３】
キューシート読出手段１０８は、抽出した＜Ｍｅｍｏ＞タグの内容を「キュー開始タイムコード」順に並び替え、それぞれの「キュー開始タイムコード」「関連付け対象映像長（＝＜Ｄｕｒａｔｉｏｎ＞タグの内容）」「キュー内容記述（＝＜Ｔｅｘｔ＞タグの内容）」をタッチパネル１０１上に表示する。図８は、キューシート読出手段１０８により読み出した電子キューシートの表示例を示す図である。図では、「キュー開始タイムコード」に対象映像長を加算することにより「キュー終了タイムコード」を求め、矢印形状のタイムライン上に「キュー開始タイムコード」から「キュー終了タイムコード」までの区間を網掛けで表示し、さらにこの区間に対応させて「キュー内容記述」を表示している。
【００４４】
これにより、ユーザは収録と同時に作成したキューシートを閲覧することができ、記録媒体１１５内に収録された映像ファイルの内容をわかりやすく一覧することができる。
【００４５】
以上に説明したように、本発明のメタ情報付与装置により、ユーザは、映像ファイルが保存されているのと同一の記録媒体上にキューシートをＩＴ機器と親和性の高い電子的な形で容易に記録・利用することができる。
【００４６】
なお、本実施の形態において、映像ファイルに付与するメタ情報の一例として電子キューシートを挙げたが、付与するファイルとその位置を特定するための情報を伴ったメタ情報であればどのようなメタ情報でもよい。また、ユーザが入力する、映像ファイル上の位置を特定するための情報はタイムコードとしたが、映像ファイル先頭からのオフセットや、メタ情報を付与する区間の映像長を直接入力するようにしてもよい。
【００４７】
なお、本実施の形態においては、映像ファイルと共にメタ情報ファイルが作成され、メタ情報記録手段によってメタ情報ファイルを書き換える構成としたが、映像ファイルの記録時にはメタ情報ファイルを作成せず、メタ情報付与装置によってメタ情報ファイルが新規に作成されてメタ情報が記録されるようにしてもよい。
【産業上の利用可能性】
【００４８】
本発明のメタ情報付与装置により、映像ファイルが保存されているのと同一の記録媒体上に、ユーザは容易にキューシートを電子的に記録することができ、媒体とキューシートの管理が簡便になるとともにＩＴ機器でのキューシートの利用がしやすくなるため、ノンリニア編集機と組み合わせた映像制作環境等にも有用である。
【図面の簡単な説明】
【００４９】
【図１】実施の形態における機器構成例を示すブロック図
【図２】実施の形態における機器の形状例を示す図
【図３】実施の形態における機器の形状例を示す図
【図４】実施の形態における記録媒体上のファイルシステム例を示す図
【図５】現場で用いられるキューシートの例を示す図
【図６】実施の形態におけるメタ情報ファイルの内容例を示す図
【図７】実施の形態におけるキューシート記述の挿入例を示す図
【図８】実施の形態における電子キューシートの表示例を示す図
【図９】従来のカメラレコーダの構成を示す図
【図１０】従来のカメラレコーダにおいて半導体メモリに記録されたファイルの概要を示す図
【符号の説明】
【００５０】
１００  メタ情報付与装置
１０１  タッチパネル
１０２  スタイラス
１０３  記録内容入力手段
１０４  データ反映指示手段
１０５  開始タイムコード指定手段
１０６  終了タイムコード指定手段
１０７  メタ情報記録手段
１０８  キューシート読出手段
１０９  ＴＣ−クリップ変換手段
１１０  クリップアクセス手段
１１１  記録媒体アクセス手段
１１２  モード切替スイッチ
１１３  記録媒体接続検出手段
１１４  バッファメモリ
１１５  記録媒体
１１６  映像ファイル
１１７  メタ情報ファイル
２０１  記録媒体接続部
３０１  無線通信部（装置側）
３０２  カメラレコーダ
３０３  無線通信部（カメラレコーダ側）
【図１】
2010141460.tif 000003
【図２】
2010141460.tif 000004
【図３】
2010141460.tif 000005
【図４】
2010141460.tif 000006
【図５】
2010141460.tif 000007
【図６】
2010141460.tif 000008
【図７】
2010141460.tif 000009
【図８】
2010141460.tif 000010
【図９】
2010141460.tif 000011
【図１０】
2010141460.tif 000012